(57)【特許請求の範囲】
【請求項１】
ハウジングに収容した接続端子を係止するためのリアホルダを前記ハウジングの後部に嵌合し、前記リアホルダを前方に押し込むことにより前記リアホルダは前記ハウジングに対し仮係止位置から本係止位置に移動可能とし、前記仮係止位置では前記リアホルダは前記ハウジングに対し横ずれした中間位置で係合して、前記リアホルダに設けた係止片の内側縁が相手側ハウジングの対応部分に当接して前記相手側ハウジングとの結合を防止し、前記本係止位置では前記リアホルダは前記ハウジングに対し前進すると共に前記横ずれを解消する位置で係合し前記接続端子を後方から前記係止片により係止することを特徴とするコネクタ。
【請求項２】
前記リアホルダは前記ハウジングに対し前方に押し込むことにより横ずれして仮係止位置に移動する請求項１に記載のコネクタ。
【発明の詳細な説明】
【０００１】
【発明の属する技術分野】
本発明は、例えば自動車の電気配線に使用され、ハウジングに収容した接続端子を係止するためのリアホルダを備えたコネクタに関するものである。
【０００２】
【従来の技術】
従来のコネクタにおいては、ハウジングに収容した接続端子の抜け出しを、ハウジングに設けた係止ランスにより一次的に防止すると共に、ハウジングの後部に備えたリアホルダにより二次的に防止する場合が多い。
【０００３】
この種のコネクタとして、リアホルダをハウジングに対して中間まで挿入した仮係合位置と、リアホルダをハウジングに対して十分に押し込んだ本係合位置の２個所で係合したものが知られている。このコネクタのリアホルダは、仮係合位置でハウジングに対して幅方向へずれて接続端子を挿通させる位置にあり、本係合位置では幅方向へ移動しながら前進して、接続端子を係止するようになっている。
【０００４】
【発明が解決しようとする課題】
しかしながら上述した従来例では、電線付の接続端子をリアホルダに個々に挿通する手間を省くことができる利点を有しているが、リアホルダがハウジングに対して本係合位置にない状態、つまり接続端子を確実に係止していない例えば仮係合位置にあっても、通常のコネクタと同様に相手側ハウジングと結合してしまうという問題がある。
【０００５】
本発明の目的は、上述した問題点を解消し、リアホルダが仮係合位置にあるときに、相手側ハウジングと結合しないようにしたコネクタを提供することにある。
【０００６】
【課題を解決するための手段】
上記目的を達成するための本発明に係るコネクタは、ハウジングに収容した接続端子を係止するためのリアホルダを前記ハウジングの後部に嵌合し、前記リアホルダを前方に押し込むことにより前記リアホルダは前記ハウジングに対し仮係止位置から本係止位置に移動可能とし、前記仮係止位置では前記リアホルダは前記ハウジングに対し横ずれした中間位置で係合して、前記リアホルダに設けた係止片の内側縁が相手側ハウジングの対応部分に当接して前記相手側ハウジングとの結合を防止し、前記本係止位置では前記リアホルダは前記ハウジングに対し前進すると共に前記横ずれを解消する位置で係合し前記接続端子を後方から前記係止片により係止することを特徴とする。
【０００７】
【発明の実施の形態】
本発明を図示の実施例に基づいて詳細に説明する。
図１は雌型ハウジング１と雄型ハウジング２が組み合わされた状態を示す実施例の平面図、図２は雌型ハウジング１の組合わせ側の部分端面図、図３は雄型ハウジング２の組合わせ側の部分端面図である。雄型ハウジング２の後部にはリアホルダ３が装着されており、これらの雌型ハウジング１、雄型ハウジング２及びリアホルダ３は合成樹脂材料により形成されている。
【０００８】
雌型ハウジング１の組合わせ側の反対側は、図示しない接続端子を収容するための端子収容部１１とされ、組合わせ側は雄型ハウジング２を嵌合するハウジング嵌合部１２とされている。ハウジング嵌合部１２には、上下壁及び左右壁に囲まれた嵌合孔１３が設けられ、上壁と左右壁の連接部には前後方向の案内溝１４、１５が、外方に膨出するように形成されている。上壁には雄型ハウジング２の後述するロック用突起をロックするためのロック用天板１６が、前後方向へ向け嵌合孔１３内に突出するように設けられている。
【０００９】
一方、雄型ハウジング２の組合わせ側は、雌型ハウジング１の嵌合孔１３に嵌合するハウジング本体２１とされ、反対側はリアホルダ３を係合するホルダ係合部２２とされている。ハウジング本体２１の上壁と左右壁の連接部には、雌型ハウジング１の案内溝１４、１５にそれぞれ嵌合する案内突起２３、２４が形成され、ハウジング本体２１の上壁には、前後方向のロック用アーム２５が上壁よりも一段と低い位置に上下方向へ撓み自在に設けられている。このロック用アーム２５の上面には、雌型ハウジング１のロック用天板１６に形成された図示しないロック用孔に嵌合するロック用突起２６が形成されている。このロック用突起２６の後方には、ロック用突起２６とロック用孔の嵌合を解除するための押圧部２７が、脚部２８を介して上壁よりも一段と高い位置に設けられている。
【００１０】
図４は雄型ハウジング２にリアホルダ３を仮係合した状態の水平断面図に示している。雄型ハウジング２の上段の左右には端子収容孔２９、３０が設けられ、後端に電線４を固定した接続端子５が収容されている。接続端子５は導電金属板により形成され、相手側の接続端子が接続される端子接続部５ａ、電線４の芯線を固定する芯線固定部５ｂ、電線４の被覆を固定する被覆固定部５ｃが順次に設けられ、端子接続部５ａには接続端子５の姿勢を安定させるためのスタビライザ部５ｄが上方へ向けて突設されている。そして、一方の端子収容孔２９の内側壁２９ａには、リアホルダ３の後述する係止片を挿通させるスリット３１が形成されている。また、ホルダ係合部２２にはリアホルダ３を２個所で係合するための係合枠３２、係合突起３３が設けられている。
【００１１】
リアホルダ３には、雄型ハウジング２のホルダ係合部２２に前進自在に嵌合する枠部４１が設けられ、枠部４１の後部にはフランジ部４２が形成されている。枠部４１の左右面には、雄型ハウジング２の係合枠３２、係合突起３３とそれぞれ共働してリアホルダ３を係合するための係合突起４３、係合枠４４が形成されている。また、枠部４１の前端部には、端子収容孔２９、３０の上部にそれぞれ進入して接続端子５のスタビライザ部５ｄを係止する係止片４５、４６が前方へ向けて突設されている。
【００１２】
これらの係止片４５、４６は図３に示すように断面Ｌ字状とされ、一方の端子収容孔２９内の係止片４５の水平部４５ａは、他方の端子収容孔３０内の係止片４６の水平部４６ａよりも幅広くされている。そして、係止片４５の内側縁４５ｂは、リアホルダ３が仮係合位置にあるときにスリット３１からロック用アーム２５の上面に突出し、本係合位置に移動する際に反対側にずれて端子収容孔２９内を前進するように設けられている。
【００１３】
雄型ハウジング２の係合枠３２、係合突起３３とリアホルダ３の係合突起４３、係合枠４４とによって、リアホルダ３と雄型ハウジング２とは、図４に示すリアホルダ３を雄型ハウジング２に対して幅方向へずらして中間まで挿入した仮係合位置と、図５に示すようにリアホルダ３を雄型ハウジング２に対して幅方向へ戻しながら前方へ十分に押し込んだ本係合位置とで係合される。
【００１４】
リアホルダ３が仮係合位置にあるときに、雄型ハウジング２と雌型ハウジング１が組み合わされた場合には、係止片４５の内側縁４５ｂがロック用天板１６の当接部１６ａに当接して、雄型ハウジング２と雌型ハウジング１の結合が防止される。
【００１５】
リアホルダ３が本係合位置に押し込まれると、リアホルダ３の係止片４５、４６は幅方向へずれながら前進し、接続端子５のスタビライザ部５ｄを係止して接続端子５の後方への抜け出しを防止することになる。つまり、リアホルダ３が仮係合位置にある状態で、雄型ハウジング２と雌型ハウジング１を結合した場合には、係止片４５の内側縁４５ｂがスリット３１から雄ハウジング２の外部へ突出しているため、図１に示すように内側縁４５ｂが雌型ハウジング１のロック用天板１６の当接部１６ａに当接し、雄型ハウジング２と雌型ハウジング１の結合を防止する。
【００１６】
リアホルダ３が本係合位置にある雄型ハウジング２と雌型ハウジング１が組み合わされると、雄型ハウジング２のハウジング本体２１と案内突起２３、２４が、雌型ハウジング１の嵌合孔１３と案内溝１４、１５にそれぞれ嵌合して前進する。これらの雄型ハウジング２と雌型ハウジング１を組合わせ側に更に押し込むと、雄型ハウジング２のロック用突起２６が雌型ハウジング１のロック用孔に嵌合し、雄型ハウジング２と雌型ハウジング１が完全に結合された上にロックされる。
【００１７】
また、雄型ハウジング２と雌型ハウジング１を分離する際には、雄型ハウジング２の押圧部２７を押圧してロック用アーム２５を下方へ撓ませ、ロック用突起２６とロック用孔の嵌合を解除し雄型ハウジング２と雌型ハウジング１を引き離す。
【００１８】
このように、上述した実施例はリアホルダ３が雄型ハウジング２に対して仮係合位置にあるときに、リアホルダ３の係止片４５が雌型ハウジング１のロック用天板１６に当接して、リアホルダ３が本係合位置にないことを使用者に認識させることができると共に、雄型ハウジング２と雌型ハウジング１の結合を防止できる。
【００２０】
【発明の効果】
以上説明したように本発明に係るコネクタは、リアホルダが仮係止位置にあると、リアホルダに設けた接続端子係止用の係止片の内側縁が、相手側ハウジングの対応部分に当接して相手側ハウジングとの結合を防止し、その際にリアホルダが仮係止位置にあることを使用者に認識させることができる。
【図面の簡単な説明】
【図１】雄型ハウジングと雌型ハウジングを組み合わせた状態の平面図である。
【図２】雌型ハウジングの組合わせ側の部分端面図である。
【図３】雄型ハウジングの組合わせ側の部分端面図である。
【図４】リアホルダが仮係合位置にある状態の水平断面図である。
【図５】リアホルダが本係合位置にある状態の水平断面図である。
【符号の説明】
１  雌型ハウジング
２  雄型ハウジング
３  リアホルダ
５  接続端子
１６  ロック用天板
２９、３０  端子収容孔
３１  スリット
４５、４６  係止片
４５ｂ  内側縁
【図１】
0003679161.tif 000002
【図２】
0003679161.tif 000003
【図３】
0003679161.tif 000004
【図４】
0003679161.tif 000005
【図５】
0003679161.tif 000006